(57)【要約】【課題】  パラグライダー用の低高度落下用安全装置を提供する。【解決手段】  パラシュートの開口部１６に開口形成体２１を取付け、空間形成体２２を開口形成体２１の上部のパラシュートの内部に設けてあり、開口形成体２１と空間形成体２２にガスを入れて開口部１６を開口すると共に、その開口部の上に空間を形成する。【選択図】  図２
2008302884.tif 000002
【特許請求の範囲】
【請求項１】
パラシュートの開口部に開口形成体が取り付けてあると共に、空間形成体を前記開口形成体の上部のパラシュートの内部に設け、
前記開口形成体と空間形成体にガスを入れることによって、前記開口部が開口すると共に、その開口部の上に空間が形成されることを特徴とする低高度落下用安全装置。
【請求項２】
開口形成体又は空間形成体にガス入口を形成し、そのガス入口とガスボンベの排出口を開閉弁を介して結合し、前記開閉弁を開く開口紐を取り付けてなることを特徴とする請求項１の低高度落下用安全装置。
【発明の詳細な説明】
【技術分野】
【０００１】
本発明は、主としてパラグライダーに利用される低高度落下用安全装置に関するものである。
【背景技術】
【０００２】
パラグライダーの安全装置に関しては、例えば、特開２０００−１６８６９４号公報がある。
この公報による安全装置は、バネ材を使用のループ骨組み材で構成してあり、このループ骨組み材をパラシュートの開口部に取り付けてある。そして、収納時にはループ骨組み材を縮小状態に曲折し、使用時にはループ骨組み材を伸長した状態にすることによって、パラシュートの開口部が開いて、その開口部から空気が流入して、パラシュートを開くことによって、浮力でもって急落下を防止するものである。
【０００３】
【特許文献１】特開２０００−１６８６９４号公報
【発明の開示】
【発明が解決しようとする課題】
【０００４】
前記従来の安全装置は、ループ骨組み材でパラシュートの開口部を拡げるのであるが、このループ骨組み材の開口によるパラシュートの開口は、十分とはいえない。即ち、パラシュートの開口部は前記ループ骨組み材で確実に開口するが、パラシュートは折り畳んだ状態であり、風の影響等によりパラシュート内部に、迅速に、空気を取り入れることができず、パラシュートが開くのに時間がかかるという課題がある。
そこで、本願の発明は、パラシュートが迅速且つ確実に開口する構成を提供するものである。
【課題を解決するための手段】
【０００５】
請求項１の低高度落下用安全装置は、パラシュートの開口部に開口形成体が取り付けてあると共に、空間形成体を前記開口形成体の上部のパラシュートの内部に設けてある。そして、開口形成体と空間形成体にガスを封入することによって、前記開口部が開口すると共に、その開口部の上に空間が形成される。
そのため、開口部からの空気は、開口形成体によって空間を形成のパラシュート内に容易に入って、パラシュートを迅速に開く。
又、請求項２の低高度落下用安全装置は、開口形成体又は空間形成体にガス入口を形成し、そのガス入口とガスボンベの排出口を開閉弁を介して結合し、前記開閉弁を開く開口紐を取り付けてなる。そこで、低高度落下用安全装置を投下するか、又は、開口紐を引っ張ると、開閉弁が開いて、ガスボンベ内のガスは開口形成体又は空間形成体に入るので、容易に操作ができる。
【発明の効果】
【０００６】
請求項１の低高度落下用安全装置は、開口形成体と空間形成体によって、パラシュートの開口部が広がって、開口部からパラシュート内に容易に空気を取り入れてパラシュートを迅速に開くことができる。
又、請求項２の低高度落下用安全装置は、ガスボンベのガスを容易に開口形成体又は空間形成体に入れることができる。
【発明を実施するための最良の形態】
【０００７】
本願の発明を図を参照して説明する。図１は、よく知られたパラグライダーであり、飛行体（図示略）と座椅子２で構成してあり、前記浮力を生ずる飛行体は座椅子２に紐（図示略）で結んである。
本願の安全装置は、図２に概念を示し、パラシュート１１内に安全装置１０を設けたものであり、パラシュート１１が開いた状態（緊急時の使用状態）である。
【０００８】
尚、この安全装置１０は、パラシュート１１を折り畳んだ状態で、前記座椅子２の側部に取り付けてあり（図１参照）、パラシュート１１は、簡便に外れるように所謂マジックテープ（登録商標）１３で固定されている。
又、後述のガスボンベ１５の開閉弁２７を開くために引っ張る開口紐１２も、座椅子２の側部に取り付けてある。
【０００９】
前記パラシュート１１は、開口部１６を有し、その開口部１６には紐１７が取り付けてあり、この紐１７の端部は座椅子２に結び付けてある。従って、座椅子２はパラシュート１１と紐１７を介して吊り下げ状態になる。
又、前記パラシュート１１内には、立体形成体２０が設けてある。この立体形成体２０は開口形成体２１と空間形成体２２で構成してあり、開口形成体２１は、柔軟な材質でガス漏れがない筒状の環体（所謂、筒状の風船）であり、パラシュート１１の開口部１６に取り付けてある。
【００１０】
又、前記空間形成体２２は、開口形成体２１の上部に、パラシュート１１が開いた状態の空間が形成可能に、複数個（図２では４個）の柔軟な材質でガス漏れがない筒状体（所謂、筒状の風船）２２ａで錐体状に形成してある。そして、前記開口形成体２１と空間形成体２２は接合部で連通している。
即ち、開口形成体２１と空間形成体２２にガスを封入すると、立体形成体２０は、略円錐状になり、パラシュート１１の開口部１６を開口すると共に、パラシュート１１内に空間を形成する。
【００１１】
又、空間形成体２２の頂部には、ガスボンベ１５が備え付けてある。この様に、空間形成体２２の頂部に備えてあるのは、パラシュートの頂部に近い位置を早期に開口することによって、パラシュートは折り畳んだ状態から迅速に開口状態にできる。
また、前記ガスボンベ１５には、よく知られた構成の開閉弁２７が取り付けてあり、この開閉弁２７を開くための開口紐１２が取り付けてある。又、前記ガスボンベ１５のガスは、開閉弁２７を介して開口形成体２１又は空間形成体２２に入れることができるように結合してある。そして、この開口紐１２は、乗員が操作可能な座椅子２の側部に取り付けてある。
【００１２】
従って、緊急時には、安全装置１０を固定している所謂マジックテープ（登録商標）１３を外して、安全装置１０を座椅子２から投げると、端部が座椅子２に固定の前記開口紐１２によって前記開閉弁２７が開いて、ガスボンベ１５内のガスは、開口形成体２１と空間形成体２２に入るため、パラシュート１１の開口部１６は開き、その上のパラシュート１１の内部は空間形成体２２によって空間が形成される。そのため、落下するパラシュート１１の開口部１６から、空間に空気が入り込むので、迅速、確実にパラシュート１１は開口する。
【００１３】
尚、従来のパラシュートは、開口部にバネ材を使用のループ骨組み材が組み込まれているので、開口部は開口するが、パラシュートは重なった状態であるので、開口部から空気が進入するのに時間がかかった。
しかし、本願の発明では、開口部が開口すると共に、パラシュート内の開口部の上に空間形成体２２を形成して空間ができるので、容易にその空間に空気を入れることができる。
即ち、開口部だけを開けても、ベルヌーイの定理により、パラシュートの内外の気圧差によって、空気は内部まで入り込まない。そこで、本願では開口部を開口すると共に、パラシュート内の開口部の上に空間形成体２２を形成することによって、容易に内部に空気を入れることを可能にしている。
【００１４】
また、パラシュート１１を収納するときには、前記開口形成体２１と空間形成体２２内のガスを抜いてパラシュート１１内に収納し、パラシュート１１を折り畳んで、略薄い直方体状にする。そして、この小さくなった安全装置を座椅子の側部に取り付けて、紐の操作でパラシュートが開くので簡便な操作でよい。
【００１５】
次に、図３は他の形状の立体形成体２０を示すと共に、この立体形成体２０は、前記図２に示す開口部全体を開口するのと異なり、パラシュートの開口部の一部を開口するように取り付けてある。
また、空間形成体２２は開口形成体２１と同様に形成体で構成してあり、開口形成体２１と空間形成体２２は、補助形成体２３で結合されている。
このように、本願の立体形成体２０は、パラシュートの開口部の一部を拡げる開口形成体２１と、その上のパラシュート内に空間を形成する空間形成体２２とで構成してある。
【００１６】
そして、緊急時に、所謂マジックテープ（登録商標）１３を外して、安全装置１０を座椅子２から投げると、端部が座椅子２に固定の前記開口紐１２によって前記開閉弁２７が開いて、ガスボンベ１５内のガスは、開口形成体２１と空間形成体２２に入るため、パラシュート１１の開口部１６の一部は開き、その上のパラシュート１１の内部は空間形成体２２によって空間が形成される。そのため、落下するパラシュート１１の開口部１６から、空間に空気が入り込むので、迅速、確実にパラシュート１１は開口する。
【００１７】
以上のように、本願の安全装置１０は、パラシュートの開口部の開口を助けると共に、その上の空間を形成する空間形成体２２によって、前記開口部から容易にパラシュートの内部に空気の流入が可能となり、迅速確実にパラシュートは開く。
従って、安全装置１０を構成する開口形成体や空間形成体の形状は、前記の目的を達成可能な空間を形成すればよいので、はりやま形状、ドーナツ状等、種々の形状であってもよい。
【００１８】
例えば、図４に示すような形状の安全装置１０であってもよい。この安全装置１０は、パラシュート１１の開口部１６を開口すると共に、パラシュート１１内に空間を形成する。そのため、安全装置１０は開口形成体２１と空間形成体２２で構成してあり、開口形成体２１は、柔軟な材質でガス漏れがない筒状の環体（所謂、筒状の風船）であり、パラシュート１１の開口部１６に取り付けてあると共に、開口形成体２１には中心に向かう環体状の梁体５５が形成してある。
そして、その中心部にはガスボンベ１５が取り付けてあり、そのガスボンベ１５の開閉弁２７と連通して、前記開口形成体２１と接合する箇所に向けて、アーチ状の空間形成体２２に連通している。
この様な構成の安全装置は、ガスボンベ１５から排出の空気は、先ず、空間形成体２２を開いて、パラシュートの内部が開口し、その後に開口部１６が開口する。
このため、パラシュートは、内部に空気を取り入れることができ、迅速に開くことができる。
【００１９】
又、立体形成体２０を構成する開口形成体２１と空間形成体２２は、ガスを共通にするために連結してあるが、それぞれ別体で構成し、各々ガスボンベによって膨らませる構造であってもよい。
又、立体形成体２０は、開いた状態のパラシュートの全体である必要はなく、パラシュートが開く開口部の上に空間を形成して、パラシュート全体の中に空気が入り易い状態を作る形状であればよい。
【図面の簡単な説明】
【００２０】
【図１】パラグライダーの座椅子を示す図である。
【図２】低高度落下用安全装置の使用状態を示す図である。
【図３】他の低高度落下用安全装置の使用状態を示す図である。
【図４】他の低高度落下用安全装置の使用状態を示す図である。
【符号の説明】
【００２１】
２  座椅子
１０  安全装置
１１  パラシュート
１２  開口紐
１５  ガスボンベ
１６  開口部
１７  紐  
２０  立体形成体
２１  開口形成体
２２  空間形成体
２７  開閉弁
【図１】
2008302884.tif 000003
【図２】
2008302884.tif 000004
【図３】
2008302884.tif 000005
【図４】
2008302884.tif 000006